(57)【要約】      （修正有）【課題】仕掛けを投げ込むとき、道糸が竿先に絡まる支障を無くし、少々の波や、風などの振動で誤動作をせず魚信の見逃しを無くす釣りセンサーの提供。【解決手段】（イ）釣竿に取り付けられた釣りセンサー１において、１ケの支点に支えられたバネ性を持った可動体と、この可動体の他方（支点の反対側）に設けられた重りと、魚信により、バネ性を持った可動体が振動し変位を生じた時、この変位を電気信号に変換し魚信をキャッチする。（ロ）釣竿に取り付けられた釣りセンサー１において、１ケの支点に支えられた可動体と、この可動体の他方（支点の反対側）に設けられた重りと、この可動体を支え上げるバネと、を持った可動体と、この可動体の他方（支点の反対側）に設けられた重りと、魚信により、可動体が振動し変位を生じた時、この変位を電気信号に変換し魚信をキャッチする。【選択図】図２
2006333858.tif 000002
【特許請求の範囲】
【請求項１】
釣竿に取り付けられた釣りセンサーにおいて、１ケの支点に支えられた魚信により変位する、バネ性を持った可動体と、この可動体の他方（支点の反対側）に設けられた重りの構造で、バネ性を持った可動体の変位を魚信と見なすことを特徴とした釣りセンサー
【請求項２】
釣竿に取り付けられた釣りセンサーにおいて、１ケの支点に支えられた魚信により変位する可動体と、この可動体の他方（支点の反対側）に設けられた重りと、この可動体を支え上げるバネの構造で、可動体の変位を魚信と見なすことを特徴とした釣りセンサー
【発明の詳細な説明】
【発明の詳細な説明】
【産業上の利用分野】
【０００１】この発明は漁業、レジャーの魚釣りの分野において、釣竿に容易取り付け、魚信の見逃しを無くす釣りセンサーに関するものである。
【背景技術】
【０００２】魚釣りの方法である、投げ釣り、振込み釣り等の、置き竿の魚信を読み取る方法は、釣竿先端に、鈴や発光する化学樹脂等を取り付け、鈴の音や化学樹脂等の光の動きで魚信を読み取っている。
【発明が解決しようとする課題】
【０００３】釣り人はこの鈴の音や、化学樹脂等の光の動きを，ひと時も見逃すことがなく、絶えず休むことなく注意しながら魚信を待っている。
しかし１日中，釣竿先端を監視し続けるのは下記理由で不可能になる。
１）食事    ２）トイレ    ３）近隣の人との対話    ４）雨の日の釣り
５）寒い日の釣り    ６）夜釣り
上の理由で席を空けた時、魚がエサを食べることが多く、再び釣り人が席に戻り釣竿先端を監視し続けるが魚信がなく、リールを巻き上げるとすでにエサがないことがある。このとき初めて釣り人は，すでに魚信があった事に気が付くが、このエサのない状態で釣竿先端を監視し続けた時間が悔やまれたり、釣果に影響を及ぼし不便さを感じている。
更に波や、風などの強い日は竿先が揺れるので、竿先に取り付けた鈴が鳴り、魚信と間違える事があり、これも釣果に影響を及ぼす事になる。
本発明は、こうした釣り人の強い要望にこたえるために開発されたのである。
【課題を解決するための手段】
【０００４】今その構成を説明すると、
（イ）釣りセンサー▲１▼内に固定された支点▲２▼を設ける。
（ロ）固定された支点に取り付けられたバネ性の可動体▲３▼を設ける。
（ハ）バネ性の可動体の他方（支点の反対側）に設けられた重り▲４▼を設ける。
以上のように構成された釣りセンサーを釣竿に取り付け、魚信による振動があると重りの付いたバネ性の可動体が揺れる事になる。
このバネ性の可動体の揺れ（変位）を電気的に捕らえ、記憶させる事で魚信があった事を釣り人に知らせ続けるようとするものである。
【作用】
【０００５】次に発明の作用を述べると、釣りセンサー内に固定された支点を中心に、重りのついたバネ性の可動体は、波や、風などによる緩和な釣竿の揺れには変位を生じないが、魚信の様に、瞬間的に揺れる振動には変位を生じる。（重りのついたバネ性の可動体の慣性を利用したもの）
この重りのついたバネ性の、可動体の変位を電気的に捕らえる方法は、実施例の中で述べる事にする。
【実施例】
【０００６】図１は従来の竿先に取り付けられた、鈴と発光化学樹脂で魚信を捕らえる方法を示した構造図。
図２は本発明の釣りセンサーを竿先に取り付けて、魚信を捕らえる方法を示した構造図。
図３、図４、図５は本発明の魚信により釣り糸を介し、釣竿に振動として伝達された釣りセンサーの重りのついたバネ性の可動体の揺れ（変位）を捕らえる構造において、
（イ）図３は釣りセンサー▲１▼内に固定された支点▲２▼に、重り▲４▼のついたバネ性の可動体▲３▼を取り付け、この支点を基準に可動する、重りのついたバネ性の可動体の構造図。
（ロ）図４は釣りセンサー▲１▼内に固定された支点▲２▼に、重り▲４▼のついたバネ可動体▲５▼を取り付け、この支点を基準に可動する、重りのついたバネ可動体の構造図。
（ハ）図５は釣りセンサー▲１▼内に固定された支点▲２▼に、重り▲４▼のついた可動体▲６▼を取り付け、更にこの可動体を上方向に支えるバネ▲７▼を取り付け、この支点を基準に可動する、重りのついた可動体の構造図。
図６、図７、は本発明の釣りセンサーにおいて、重りのついたバネ性の可動体やバネ可動体の揺れ（変位）を電気的に捕らえる構造図において、
（イ）図６は可動体の下方に固定された接点▲８▼を設け、可動体の揺れ（変位）で、有接点信号を取り出す構造図
（ロ）図７は可動体の下方に固定されたフォトインタラプタ▲９▼を設け、可動体の揺れ（変位）で、電気信号を取り出す構造図
図８、図９は本発明の釣りセンサーにおいて、重りのついた可動体に設けられた磁石▲１０▼の変位を電気的に捕らえる構造図において、
（イ）図８は磁石の変位で動作する位置に設けられた、磁気型リードスイッチ▲１１▼で有接点信号を取り出す構造図
（ハ）図９は磁石の変位で動作する位置に設けられた、コイル▲１２▼に誘起する電気信号を取り出す構造図
図１０は本発明の有接点信号を用いた、釣りセンサーを多数取り付け、どの釣竿に魚信があったのかＬＥＤ表示し、且つ、どの釣竿に魚信があっても、ブザーや無線送信機で釣り人に、魚信のあったことを知らせるコントローラー回路を示したものである。
図１０を詳しく述べると、電源回路（Ｑ１）とイニシャルリセット（Ｔ３）と４ケのセンサー入力部、フリップフロップ部、ＬＥＤ表示部と、これら４ケのフリップフロップ出力を全てＯＲ接続し、ＳＷ２でブザー（ＢＺ）と無線送信機の送信側に切り替えている。
フリップフロップ部で記憶した電気信号は、本回路の電源スイッチのＯＦＦやＯＮで自動的に停止（リセット）されるので操作のわずらわしさが無くなる。
【発明の効果】
【０００７】本発明は、以上説明したように構成されているので、以下に記載されたような効果を得る事が出来る。
（イ）本発明の釣センサーが一度でも魚信を感知すると、記憶回路が瞬時に記憶し、この記憶と同時に音と光を発し続け、魚信が有った事を、釣り人が気付くまで知らせ続けるので、数本の竿を並べて釣る場合、竿先から目を離していても、どの竿に魚信が有ったのか、昼釣り夜釣りに関係無く魚信があった竿を読み取る事ができ、且つ、景色を眺めてみたり、もの思いに更けてみたり、読書をしたり、目を閉じて休んだりしていても魚信を確実によみとる事が出来るので、従来よりもリラックスした余裕を持った魚釣りが楽しめる。
（ロ）この釣センサーは波や風などの緩和な振動加速度では、バネの加重が大きいので可動体は動かないが、魚信のように瞬間的な振動は加速度が大きいため、可動体が動くと事で、少々の波や、風の影響で道糸や竿が揺れても、誤動作しない。
（ハ）この釣センサーは小型、軽量なのでクリップなどで釣竿に簡単に取り付け、取り外しができるので、遠投する場合、道糸が釣センサーに絡らむような事が無くなる。
（ニ）
【請求項１】
は図３、図４の重りのついたバネ性の可動体の揺れ（変位）を捕らえる構造であり、この変位を電気信号に変換する方法は図６から図９のいずれでも可能である。
（ホ）
【請求項２】
は図５の重りのついた可動体の揺れ（変位）を捕らえる構造であり、この変位を電気信号に変換する方法は図６から図９のいずれでも可能である。
【図面の簡単な説明】
【０００８】図１は従来の釣り方を示した構造図。
図２は本発明の釣りセンサーを用いての釣り方を示した構造図。
図３は可動する可動体に線バネや、板バネを用いた構造図。
図４は可動する可動体にスプリングを用いた構造図。
図５は可動する可動体をバネで上方向に支える構造図。
図６は可動体の下方に固定された接点で、有接点信号を取り出す構造図
図７は可動体の下方に固定されたフォトインタラプタで、電気信号を取り出す構造図
図８は可動体に設けられた磁石の変位で、磁気型リードスイッチの有接点信号取り出す構造図
図９は可動体に設けられた磁石の変位で、コイルに誘起する電気信号を取り出す構造図
図１０は本発明の有接点信号を用いた、釣りセンサーを多数取り付け、どの釣竿に魚信があったのかＬＥＤ表示し、且つ、どの釣竿に魚信があっても、ブザーや無線送信機で釣り人に、魚信のあったことを知らせるコントローラー回路図
【符号の説明】
【０００９】▲１▼本発明の釣りセンサー  ▲２▼支点  ▲３▼バネ性可動体  ▲４▼重り  ▲５▼バネ可動体  ▲６▼可動体  ▲７▼バネ  ▲８▼固定された接点  ▲９▼フォトインタラプタ  ▲１０▼磁石  ▲１１▼リードスイッチ  ▲１２▼コイル
【図１】
2006333858.tif 000003
【図２】
2006333858.tif 000004
【図３】
2006333858.tif 000005
【図４】
2006333858.tif 000006
【図５】
2006333858.tif 000007
【図６−１】
2006333858.tif 000008
【図６−２】
2006333858.tif 000009
【図６−３】
2006333858.tif 000010
【図７】
2006333858.tif 000011
【図８】
2006333858.tif 000012
【図９】
2006333858.tif 000013
【図１０】
2006333858.tif 000014